(57)【要約】      （修正有）【課題】展示商品の丈によって陳列用ハンガーの支柱の高さを調節する必要性がある場合、孔位置のずれを防止すると共に、極めて容易に陳列装置の高低を容易に且つ迅速に達成することのできる丸型パイプ陳列ハンガーの高低調節装置を提供する。【解決手段】大径丸型パイプ２は、その上端部を傾斜切断部を形成すると共に傾斜切断部３の下辺に落とし凹状部４を備え、係合部材８は、中央部に大径丸型パイプとほぼ同等の下部楕円状の通孔を有し、この通孔は上部小径丸型パイプ５を遊嵌し得る内径である共に、その下部を大径丸型パイプの上端傾斜切断部と接合可能となし、且つ楕円状の通孔の傾斜係止片の下辺に内側方向に係合突出片を一体的に形成し、係合部材の傾斜係止片の下辺に内側方向に係合突出片１１は、上部小径丸型パイプの所定区間にて形成された該複数のダボ孔６のいずれかの一つと係合し得る。【選択図】図３
0003102542.tif 000002
【実用新案登録請求の範囲】
【請求項１】
設置台と一体的に形成された内部空洞の下部大径丸型パイプと、上部にハンガー部を設け、下部大径丸型パイプ上部に所定区間にわたって挿通自在であって、且つ、この所定区間に所定区間に複数の同列のダボ孔を形成してなる上部小径丸型パイプと、上部小径丸型パイプの所定区間において該複数のダボ孔位置にて係合し得る係合部材とからなる丸型パイプよりなる陳列装置において、前記大径丸型パイプは、その上端部を傾斜切断部を形成すると共に傾斜切断部の下辺に落とし凹状部を備え、前記係合部材は、中央部に前記大径丸型パイプとほぼ同等の下部楕円状の通孔を有し、且つこの下部楕円状の通孔は上部小径丸型パイプを遊嵌し得る内径である共に、その下部を前記大径丸型パイプの上端傾斜切断部と密着可能となし、且つ共に前記楕円状の通孔の傾斜係止片の下辺に内側方向に係合突出片を一体的に形成し、係合部材の傾斜係止片の下辺に内側方向に係合突出片は、上部小径丸型パイプの所定区間にて形成された該複数のダボ孔のいずれかの一つと係合し得るようにしたことを特徴とする丸型パイプ陳列ハンガーの高低調節装置。
【請求項２】
大径丸型パイプの上端部に形成した傾斜切断部の下辺に落とし凹状部は、係合部材の係合突出片を拘束する形状である請求項１記載の丸型パイプ陳列ハンガーの高低調節装置。
【請求項３】
上部小径丸型パイプの外表面に形成され、且つ上部小径丸型パイプの所定区間にて形成された該複数のダボ孔の軸線上に線溝を形成してなる請求項１記載の丸型パイプ陳列ハンガーの高低調節装置。
【考案の詳細な説明】
【技術分野】
【０００１】この考案は、商店において衣料品等の商品を吊りかけて展示する丸型パイプ陳列ハンガーの高低調節装置に関する。
【背景技術】
【０００２】陳列用ハンガーの支柱の高さ調節装置として、管状をなす固定支柱の上端開口部より伸縮支柱を遊挿して、ハンドル操作を利用して、このハンドルに連結されたストッパー捍を伸縮支柱の周面に圧設して、伸縮支柱を上下不動に保持するものは存在する。（例えば、特許文献１）
又、下部固定管に上下動可能な調整扞とからなるハンガー等の上下調整装置において、調整調整扞の内部に係止爪を有するスライダーを止着し、このスライダーを摺動することによって陳列用ハンガーの支柱の高さを調節するものはある。（例えば特許文献２）【０００３】また、図８に示すように、設置部と一体的に形成された下部大径丸型パイプＡと、前記下部大径丸型パイプの上部に挿通自在の上部に吊り掛け部を備えた上部小形径パイプＢとから形成さた陳列装置の高低調節装置では、下部大径丸型パイプＡ及び上部小形径パイプＢの係合部に所定間隔毎に係合孔Ｃ又はローレットが形成され、大径丸型パイプ及び上部小形径パイプの係合孔位置が一致した位置において、押しネジ又はローレットビスＤを押し込み両者を一定位置において固定していた。【０００４】これらの従来の陳列装置の高低調節装置では、構造が複雑で、製造の工程が多岐にわたり製品価格が高価についたり、吊り下げる重量によってパイプがずれる傾向があること、及び高さを調整する時、下部大径パイプ及び上部小形径パイプの係合孔位置が一致した位置においてするために、両者の孔位置の一致する位置が確認し難い。又、丸パイプを使用した陳列装置の高低調節装置では、摺動する一対のパイプの何れかが回動することにより孔位置が一致しない傾向があった。
更に、その欠点を回避するために、角パイプを使った陳列用ハンガーの支柱（例えば、実用新案文献１）のような場合、展示する場所によっては、かたいイメージを与えるために特に女性用衣類等の展示には適さない傾向がある。【０００５】
【特許文献１】実公昭５７−２５６４６号
【特許文献２】実開平０２−６１２６１号
【考案の開示】
【考案が解決しようとする課題】
【０００６】従って、この考案の目的とするところは、吊り下げる展示商品の丈によって陳列用ハンガーの支柱の高さを調節する必要性がある場合、孔位置のずれを防止すると共に、係合位置のずれを有効に防止することができると共に、極めて容易に陳列装置の高低を容易に且つ迅速に達成することのできる陳列装置の高低調節装置を提供することである。
【考案が解決するための手段】
【０００７】そこで、この考案は、設置台と一体的に形成さた内部空洞の下部大径丸型パイプと、上部にハンガー部を設け、下部大径丸型パイプ上部に所定区間にわたって挿通自在であって、且つ、この所定区間に所定区間に複数の同列ダボ孔を形成してなる下部大径丸型パイプと、所定区間において該複数のダボ孔位置において係合し得る係合部材とからなるパイプよりなる陳列装置において、前記大径丸型パイプは、その上端部を傾斜切断部を形成すると共に傾斜切断部の下辺に落とし凹状部を備え、前記係合部材は、中央部に前記大径丸型パイプとほぼ同等の下部楕円状の通孔を有し、下部を前記大径丸型パイプの傾斜切断部と密着可能となし、且つ共に前記楕円状の通孔の傾斜係止片の下辺に内側方向に係合突出片を一体的に形成し、係合部材の傾斜係止片の下辺に内側方向に係合突出片は、上部小径丸型パイプの所定区間において該複数のダボ孔位置において係合し得るようにする。
【０００８】更に、大径丸型パイプの上端部に形成した傾斜切断部の下辺に落とし凹状部は、係合部材の係合突出片を拘束する形状とする。
【考案の効果】
【０００９】この考案は、設置台と一体的に形成さた内部空洞の下部大径丸型パイプと、上部にハンガー部を設け、下部大径丸型パイプ上部に所定区間にわたって挿通自在であって、且つ、この所定区間に所定区間に複数のダボ孔を形成してなる下部大径丸型パイプと、所定区間において該複数のダボ孔位置において係合し得る係合部材とからなる小径丸型パイプよりなる陳列装置において、前記大径丸型パイプは、その上端部を傾斜切断部を形成すると共に傾斜切断部の下辺に落とし凹状部を備え、前記係合部材は、中央部に前記大径丸型パイプとほぼ同等の下部楕円状の通孔を有し、下部を前記大径丸型パイプの傾斜切断部と密着可能となし、且つ共に前記楕円状の通孔の傾斜係止片の下辺に内側方向に係合突出片を一体的に形成してあるので、孔位置のずれを防止すると共に、係合位置のずれを有効に防止することができると共に、極めて容易に陳列装置の高低を容易に且つ迅速に達成することのできる効果がある。この考案では、傾斜切断部の下辺に落とし凹状部の中央部に傾斜係止片の下辺に内側方向に係合突出片を設けてあるので、小径丸型パイプの孔位置がこの凹状部にあるかどうかを確認することができるために係合位置を間違うことなく確実に係合できることになる。
【考案を実施するための最良の形態】
【００１０】ベースパイプ１の選ばれた位置には、内部が空洞の円形の下部大径丸型パイプ２が植立されている。この円形の下部大径丸型パイプ２の上端一定角度、望ましくは４５度の角度で切断した傾斜面３を形成してあると共に、この傾斜面３の下部には落し部である凹陥部４を形成してある。【００１１】この円形の下部大径丸型パイプ２の上方部に挿通自在に円形の上部小径丸型パイプ５が設けられている。この円形の上部小径丸型パイプ５の所定区間にわたりほぼ一定間隔毎にダボ孔６、６．．が列設されている。更に、円形の上部小径丸型パイプ５の上部には商品掛け止め部７、７．．が設けられている。【００１２】前記、円形の下部大径丸型パイプ２と、円形の上部小径丸型パイプ５とを所定位置で係合固定するための係合部材８は、前記円形の下部大径丸型パイプ２と、円形の上部小径丸型パイプ５と係合する円形の下部大径丸型パイプ２の上端部に接合するように設けられる。即ち、係合部材８は、円形の下部大径丸型パイプ２の上端一定角度、望ましくは４５度の角度で切断した上端傾斜面３に対応する傾斜面９を下部面に有している。従って、係合部材８の下部の傾斜面では楕円状であって、しかも、その孔径は前記円形の上部小径丸型パイプ５、５の下部を遊嵌するものである。係合部材８の傾斜面９は、下部大径丸型パイプ２の上端傾斜面と密着可能としてあるものである。【００１３】円形の下部大径丸型パイプ２の上端部を所定幅にわたって４５度の角度で切断したような上部傾斜面１０とするのが便利である。但し、係合部材の上部面１０は必ずしも傾斜面とする必要もない。【００１４】係合部材８は、下部傾斜面９の最下部位置において内側楕円孔方向に突出片１１を一体的に形成してあり、且つ、突出片１１は、係合位置では常に前記下部には落し部である凹陥部４に落ち込み、凹陥部４に拘束されるようになっている。従って、下部大径丸型パイプ２と、上部小径丸型パイプ５との挿通状態は、上部小径丸型パイプ５の同列に開設される複数のダボ孔６、６．．は常に落し部である凹陥部４の中央位置となるように開設されている。前記凹陥部４の形状は突出片１１を拘束し得る形状であることが不可欠である。【００１５】下部大径丸型パイプ２と、上部小径丸型パイプ５は、鉄製パイプ、アルミニウム管、その他金属パイプによって製造可能であるが、最も望ましい管体として、スチールパイプが陳列装置の高低調節装置の耐久性及び美感の上からも理想的である。【００１６】図４（イ）、（ロ）、（ハ）の各図によって、本件考案のスチールパイプが陳列装置の高低調節装置の操作を説明する。図３（イ）に示すように係合部材８を下部大径丸型パイプ２の上端より持ち上げ、次に図４（ロ）に示すように、予め上部小径丸型パイプ５の係合したいダボ孔６に係合部材８の突出片１１を係合させ、更にその状態のまま図４（ハ）に示すように係合部材８の下面傾斜部が大径丸型パイプ２の上端傾斜面に触突する位置まで下ろすと、係合部材８の突出片１１は大径丸型パイプ２の上端傾斜面下部に形成された落し部である凹陥部４で止められ両者が係止固定することになる。【００１７】下部大径丸型パイプ２と上部小径丸型パイプ５とを係合する更に他の方法は、大径丸型パイプ２の上端傾斜面下部に形成された落し部である凹陥部４に係合部材８の突出片１１を落とし込んでおき、前記上部小径丸型パイプ５を上部小径丸型パイプ５の同列にダボ孔６の軸線中央表面部に形成した係合部材８の突出片１１の先端部を案内するための案内線溝１２が形成され、この案内線溝１２に沿って上方又は下方に摺動すると、係合部材８の突出片１１は、この案内線溝１２に案内されて上部小径丸型パイプ５の係合したいダボ孔６の位置にて所望のダボ孔６において係合部材８の突出片１１において係合することになる。【００１８】前記のように、上部小径丸型パイプ５のダボ孔６位置で係合した係合部材８の突出片１１が一旦大径丸型パイプ２の上端傾斜面下部に形成された落し部である凹陥部４に落ち込むと、上部小径丸型パイプ５の自重と、係合部材８の突出片１１は大径丸型パイプ２の上端傾斜面下部に形成された落し部である凹陥部４に拘束され両者は緊密に係合することになり、下部大径丸型パイプ２に対して上部小径丸型パイプ５が摺動自在となる。【００１９】逆に、下部大径丸型パイプ２と上部小径丸型パイプ５との係合状態を解こうとする場合には、図４（ハ）係止している状態で、上部小径丸型パイプ５を把持して係合部材８に係る負荷を解けば係合部材８の突出片１１は上部小径丸型パイプ５のダボ孔６から離脱して図４の（イ）の状態となる。【００２０】係合部材８の下部切断面では楕円状であって、しかも、その孔径は前記円形の上部小径丸型パイプ５の下部を遊嵌するものであるから、係合部材８の下部の突出片１１は凹陥部４より容易に抜出できるものである。従って、突出片１１を上部小径丸型パイプ５のダボ孔６より外すと両者は自由に摺動状態となる。
【産業上の利用の可能性】
【００２１】前記のような本願考案を、商店において衣料品等の商品を吊りかけて展示する陳列用ハンガーの支柱の高さ調節装置に利用すれば構造が簡単であって、しかも全体が丸型パイプによって優美な外観を備えているので、例えば男性、女性用を衣類等の陳列に幅広く利用でき、しかも、その操作も簡便であるから極めて広範囲に適用することができる。
【図面の簡単な説明】
【００２２】
【図１】スチールパイプが陳列装置の高低調節装置の要部を示す分解斜視図である。
【図２】スチールパイプが陳列装置の高低調節装置における上下パイプの係止状態を示す一部斜視図である。
【図３】係合を解いた状態を示す拡大断面図である。
【図４】（イ）、（ロ）、（ハ）は、上下パイプの係止状態の手順を示す説明図である。
【図５】（イ）、（ロ）は高さ調節を説明する側面図である。
【図６】係合部材を示す斜視図である。
【図７】スチールパイプの陳列装置の一例を示す斜視図である。
【図７】従来例を示す断面図である。
【符号の説明】
１．．．．ベースパイプ
２．．．．下部大径丸型パイプ
３．．．．上端傾斜面
４．．．．凹陥部
５．．．．上部小径丸型パイプ
６．．．．ダボ孔
７．．．．掛止部
８  ．．．係合部材
９  ．．．傾斜下面
１０．．．上部面
１１．．．突出部
１２．．．案内線溝
【図１】
0003102542.tif 000003
【図２】
0003102542.tif 000004
【図３】
0003102542.tif 000005
【図４】
0003102542.tif 000006
【図５】
0003102542.tif 000007
【図６】
0003102542.tif 000008
【図７】
0003102542.tif 000009
【図８】
0003102542.tif 000010
【手続補正書】
【提出日】平成16年2月5日(2004.2.5)
【手続補正１】
【補正対象書類名】明細書
【補正対象項目名】図面の簡単な説明
【補正方法】変更
【補正の内容】
【００２２】
【図面の簡単な説明】
【図１】
スチ−ルパイプが陳列装置の高低調節装置の要部を示す分解斜視図である。
【図２】
スチ−ルパイプが陳列装置の高低調節装置における上下パイプの係止状態を示す一部斜視図である。
【図３】
係合を解いた状態を示す拡大断面図である。
【図４】
（イ）、（ロ）、（ハ）は、上下パイプの係止状態の手順を示す説明図である。
【図５】
（イ）、（ロ）は高さ調節を説明する側面図である。
【図６】
係合部材を示す斜視図である。
【図７】
スチ−ルパイプの陳列装置の一列を示す斜視図である。
【図８】
従来例を示す断面図である。